(57)【要約】プラズマディスプレイパネルは、前面板と、前面板と対向して設けられる背面板とを備える。背面板は、前面板との間で放電を発生させる表示領域と、表示領域の周囲に設けられた非表示領域とを有する。さらに、背面板は、複数の接続端子部と、複数の中間接続配線群と、複数の電極と、中間接続配線群および電極を被覆する絶縁体層と、絶縁体層上に設けられた隔壁と、を有する。複数の電極は表示領域に設けられ、複数の接続端子部及び複数の中間接続配線群はそれぞれが間隔をあけて非表示領域に設けられる。接続端子部は複数の接続端子を含み、中間接続配線群は複数の中間接続配線を含む。複数の中間接続配線の一方は複数の接続端子に接続され、他方は複数の電極に接続される。複数の中間接続配線群の間には、ダミー部が設けられる。隔壁の下層には、電極、中間接続配線群の少なくとも一部およびダミー部の少なくとも一部がある。
2012102014.tif 000002
【特許請求の範囲】
【請求項１】
前面板と、前記前面板と対向して設けられる背面板とを備え、
前記背面板は、前記前面板との間で放電を発生させる表示領域と、前記表示領域の周囲に設けられた非表示領域とを有し、
さらに、前記背面板は、複数の接続端子部と、複数の中間接続配線群と、複数の電極と、前記中間接続配線群および前記電極を被覆する絶縁体層と、前記絶縁体層上に設けられた隔壁と、を有し、
前記複数の電極は、前記表示領域に設けられ、
前記複数の接続端子部は、それぞれが間隔をあけて前記非表示領域に設けられ、
前記接続端子部は、複数の接続端子を含み、
前記複数の中間接続配線群は、それぞれが間隔をあけて前記非表示領域に設けられ、
前記中間接続配線群は、複数の中間接続配線を含み、
前記複数の中間接続配線の一方は、前記複数の接続端子に接続され、
前記複数の中間接続配線の他方は、前記複数の電極に接続され、
前記複数の中間接続配線群の間には、ダミー部が設けられ、
前記隔壁の下層には、前記電極、前記中間接続配線群の少なくとも一部および前記ダミー部の少なくとも一部がある、
プラズマディスプレイパネル。
【請求項２】
前面板との間で放電を発生させる表示領域と、前記表示領域の周囲に設けられた非表示領域とを備えたプラズマディスプレイパネル用背面板であって、
複数の接続端子部と、複数の中間接続配線群と、複数の電極と、前記中間接続配線群および前記電極を被覆する絶縁体層と、を備え、
前記複数の電極は、前記表示領域に設けられ、
前記複数の接続端子部は、それぞれが間隔をあけて前記非表示領域に設けられ、
前記接続端子部は、複数の接続端子を含み、
前記複数の中間接続配線群は、それぞれが間隔をあけて前記非表示領域に設けられ、
前記中間接続配線群は、複数の中間接続配線を含み
前記複数の中間接続配線の一方は、前記複数の接続端子に接続され、
前記複数の中間接続配線の他方は、前記複数の電極に接続され、
前記複数の中間接続配線群の間には、ダミー部が設けられ、
前記中間接続配線群が設けられた領域の反射率と、前記ダミー部が設けられた領域の反射率の差は、
前記中間接続配線群が設けられた領域の反射率と、前記ダミー部が設けられていない領域の反射率の差、より小さい、
プラズマディスプレイパネル用背面板。
【発明の詳細な説明】
【技術分野】
【０００１】
ここに開示された技術は、表示装置などに用いられるプラズマディスプレイパネルおよびプラズマディスプレイパネル用背面板に関する。
【背景技術】
【０００２】
プラズマディスプレイパネル（以下、ＰＤＰと称する）は、前面板と、前面板と対向して設けられた背面板を備える。背面板に隔壁を形成する技術として、フォトリソグラフィ法が知られている。具体的には、感光性材料を、フォトマスクを介して露光することにより、所望の形状が形成される（例えば特許文献１参照）。
【先行技術文献】
【特許文献】
【０００３】
【特許文献１】特開２００３−１３１５８０号公報
【発明の概要】
【０００４】
ＰＤＰは、前面板と、前面板と対向して設けられる背面板とを備える。背面板は、前面板との間で放電を発生させる表示領域と、表示領域の周囲に設けられた非表示領域とを有する。さらに、背面板は、複数の接続端子部と、複数の中間接続配線群と、複数の電極と、中間接続配線群および電極を被覆する絶縁体層と、絶縁体層上に設けられた隔壁と、を有する。複数の電極は、表示領域に設けられる。複数の接続端子部は、それぞれが間隔をあけて非表示領域に設けられる。接続端子部は、複数の接続端子を含む。複数の中間接続配線群は、それぞれが間隔をあけて非表示領域に設けられる。中間接続配線群は、複数の中間接続配線を含む。複数の中間接続配線の一方は、複数の接続端子に接続される。複数の中間接続配線の他方は、複数の電極に接続される。複数の中間接続配線群の間には、ダミー部が設けられる。隔壁の下層には、電極、中間接続配線群の少なくとも一部およびダミー部の少なくとも一部がある。
【０００５】
ＰＤＰ用背面板は、前面板との間で放電を発生させる表示領域と、表示領域の周囲に設けられた非表示領域と、複数の接続端子部と、複数の中間接続配線群と、複数の電極と、中間接続配線群および電極を被覆する絶縁体層と、を備える。複数の電極は、表示領域に設けられる。複数の接続端子部は、それぞれが間隔をあけて非表示領域に設けられる。接続端子部は、複数の接続端子を含む。複数の中間接続配線群は、それぞれが間隔をあけて非表示領域に設けられる。中間接続配線群は、複数の中間接続配線を含む。複数の中間接続配線の一方は、複数の接続端子に接続される。複数の中間接続配線の他方は、複数の電極に接続される。複数の中間接続配線群の間には、ダミー部が設けられる。中間接続配線群が設けられた領域の反射率と、ダミー部が設けられた領域の反射率の差は、中間接続配線群が設けられた領域の反射率と、ダミー部が設けられていない領域の反射率の差、より小さい。
【図面の簡単な説明】
【０００６】
【図１】図１は、本実施の形態にかかるＰＤＰの構造を示す分解斜視図である。
【図２】図２は、本実施の形態にかかるＰＤＰの電極配列図である。
【図３】図３は、プラズマディスプレイ装置の回路ブロック図である。
【図４】図４は、ＰＤＰの各電極に印加する駆動電圧波形を示す図である。
【図５】図５は、本実施の形態にかかるＰＤＰの概略断面図である。
【図６】図６は、本実施の形態にかかる背面板の概略平面図である。
【図７】図７は、本実施の形態にかかる背面板の電極構成を示す図である。
【図８】図８は、他の実施の形態にかかる背面板の電極構成を示す図である。
【図９】図９は、他の実施の形態にかかる第１のダミー電極のパターンを示す図である。
【図１０】図１０は、他の実施の形態にかかる第２のダミー電極のパターンを示す図である。
【発明を実施するための形態】
【０００７】
（実施の形態１）
以下、本発明の一実施の形態によるＰＤＰが、図１〜図７を用いて説明される。しかし、本発明の実施の態様はこれに限定されるものではない。
【０００８】
１．ＰＤＰ１１の構成
本実施の形態に係るＰＤＰ１１は、交流面放電型ＰＤＰである。図１、図５に示すように、ＰＤＰ１１は、前面板５０と背面板６０とを、その間に放電空間を設けるように対向配置することにより構成されている。
【０００９】
前面板５０は、ガラス製の前面基板１上に設けられた導電性の走査電極３および導電性の維持電極４を有する。走査電極３および維持電極４は、ガラス材料などからなる誘電体層５によって被覆されている。誘電体層５上には、酸化マグネシウム（ＭｇＯ）を含む保護層６が設けられている。走査電極３および維持電極４は、間に放電ギャップを設けて互いに平行に配置されている。一対の走査電極３および維持電極４は、表示電極を構成する。
【００１０】
走査電極３は、インジウム錫酸化物（ＩＴＯ）などの透明電極３ａと、透明電極３ａに電気的に接続されるバス電極３ｂを含む。バス電極３ｂは、銀（Ａｇ）などからなる導電性金属を含む。バス電極３ｂの膜厚は、数μｍ程度である。
【００１１】
維持電極４は、ＩＴＯなどの透明電極４ａと、透明電極４ａに電気的に接続されるバス電極４ｂを含む。バス電極４ｂは、Ａｇなどからなる導電性金属を含む。バス電極４ｂの膜厚は、数μｍ程度である。
【００１２】
背面板６０は、ガラス製の背面基板２上に設けられた導電性のデータ電極８を有する。データ電極８は、ガラス材料などからなる絶縁体層７によって被覆されている。絶縁体層７上には、前面板５０と背面板６０との間の放電空間を放電セル毎に区画するためのガラス材料などからなる井桁状の隔壁９が設けられている。さらに、背面板６０は、蛍光体層１０を有する。
【００１３】
図５に示すように、絶縁体層７の表面および隔壁９の側面には、赤色に発光する赤色蛍光体層１０Ｒ、緑色に発光する緑色蛍光体層１０Ｇ、青色に発光する青色蛍光体層１０Ｂが設けられている。赤色蛍光体層１０Ｒ、緑色蛍光体層１０Ｇおよび青色蛍光体層１０Ｂによって、蛍光体層１０が構成される。走査電極３および維持電極４とデータ電極８が交差する交差部分には、放電セルが設けられている。また、放電空間には、放電ガスとして、例えばネオン（Ｎｅ）とキセノン（Ｘｅ）の混合ガスが封入されている。
【００１４】
なお、ＰＤＰ１１の構造は上述したものに限られるわけではなく、例えばストライプ状の隔壁９を備えたものであってもよい。
【００１５】
また、図５に示すように、放電セルを区画する井桁形状の隔壁９は、データ電極８に平行に設けられた縦隔壁９ａと、縦隔壁９ａに直交するように設けられた横隔壁９ｂとを含む。また、青色蛍光体層１０Ｂ、赤色蛍光体層１０Ｒ、緑色蛍光体層１０Ｇは、縦隔壁９ａに沿ってストライプ状に順に配列されている。
【００１６】
１−２．ＰＤＰ１１の電極配列
図２に示すように、ＰＤＰ１１の表示領域には、行方向にｎ本の走査電極ＳＣ１〜ＳＣｎ（図１の走査電極３）およびｎ本の維持電極ＳＵ１〜ＳＵｎ（図１の維持電極４）が、維持電極ＳＵ１−走査電極ＳＣ１−走査電極ＳＣ２−維持電極ＳＵ２・・・・の配列となるように形成され、列方向にｍ本のデータ電極Ｄ１〜Ｄｍ（図１のデータ電極８）が前記走査電極ＳＣ１〜ＳＣｎおよびｎ本の維持電極ＳＵ１〜ＳＵｎと交差する配列となるように形成されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。また、ＰＤＰ１１の表示領域の周囲には、非表示領域が設けられている。
【００１７】
２．ＰＤＰ１１の製造方法
２−１．前面板５０
２−１−１．表示電極
フォトリソグラフィ法によって、前面基板１上に、走査電極３および維持電極４が形成される。まず、インジウム錫酸化物（ＩＴＯ）などからなる透明電極３ａ、４ａが形成される。
【００１８】
次に、バス電極３ｂ、４ｂが形成される。バス電極３ｂ、４ｂの材料には、銀（Ａｇ）と銀を結着させるためのガラスフリットと感光性樹脂と溶剤などを含む電極ペーストが用いられる。まず、スクリーン印刷法などによって、電極ペーストが、透明電極３ａ、４ａが形成された前面基板１に塗布される。次に、乾燥炉によって、電極ペーストが、例えば１００℃から２５０℃の温度範囲で乾燥される。乾燥によって、電極ペースト中の溶剤が除去される。次に、例えば、複数の矩形パターンが形成されたフォトマスクを介して、電極ペーストが露光される。
【００１９】
次に、電極ペーストが現像される。ポジ型の感光性樹脂が用いられた場合は、露光された部分が除去される。残存した電極ペーストが電極パターンである。最後に、焼成炉によって、例えば４００℃から５５０℃の温度範囲で、電極パターンが焼成される。焼成によって、電極パターン中の感光性樹脂が除去される。焼成によって、電極パターン中のガラスフリットが溶ける。溶けたガラスフリットは、焼成後に再びガラス化する。以上の工程によって、バス電極３ｂ、４ｂが形成される。
【００２０】
上述の方法の他、スパッタ法、蒸着法などにより、金属膜を形成し、その後パターニングする方法なども用いることができる。
【００２１】
２−１−２．誘電体層５
誘電体層５の材料には、誘電体ガラスフリットと樹脂と溶剤などを含む誘電体ペーストが用いられる。まずダイコート法などによって、誘電体ペーストが所定の厚みで前面基板１上に塗布される。塗布された誘電体ペーストは、走査電極３および維持電極４を被覆する。次に、乾燥炉によって、誘電体ペーストが、例えば１００℃から２５０℃の温度範囲で乾燥される。乾燥によって、誘電体ペースト中の溶剤が除去される。最後に、焼成炉によって、例えば４００℃から５５０℃の温度範囲で、誘電体ペーストが焼成される。焼成によって、誘電体ペースト中の樹脂が除去される。焼成によって、誘電体ガラスフリットが溶ける。溶けた誘電体ガラスフリットは、焼成後に再びガラス化する。以上の工程によって、誘電体層５が形成される。
【００２２】
上述の方法の他、スクリーン印刷法、スピンコート法などを用いることができる。また、誘電体ペーストを用いずに、ＣＶＤ（Ｃｈｅｍｉｃａｌ  Ｖａｐｏｒ  Ｄｅｐｏｓｉｔｉｏｎ）法などによって、誘電体層５となる膜を形成することもできる。
【００２３】
２−１−３．保護層６
保護層６は、一例として、ＥＢ（Ｅｌｅｃｔｒｏｎ  Ｂｅａｍ）蒸着装置により形成される。保護層６がＭｇＯとＣａＯを含む場合、保護層６の材料は単結晶のＭｇＯからなるＭｇＯペレットと単結晶のＣａＯからなるＣａＯペレットである。つまり、保護層６の組成に合わせてペレットを選択すればよい。ＭｇＯペレットまたはＣａＯペレットには、さらに不純物としてアルミニウム（Ａｌ）、珪素（Ｓｉ）などが添加されていてもよい。
【００２４】
まず、ＥＢ蒸着装置の成膜室に配置されたＭｇＯペレットおよびＣａＯペレットに電子ビームが照射される。電子ビームのエネルギーを受けたＭｇＯペレットおよびＣａＯペレットの表面は蒸発していく。ＭｇＯペレットから蒸発したＭｇＯおよびＣａＯペレットから蒸発したＣａＯは、成膜室内を移動する前面基板１上に付着する。より詳細には、表示領域となる領域が開口したマスクを介して、ＭｇＯおよびＣａＯが誘電体層５上に付着する。前面基板１は、ヒータによって約３００℃に加熱されている。成膜室の圧力は、約１Ｅ−４Ｐａに減圧された後、酸素ガスが供給され、酸素分圧が約３Ｅ−２Ｐａになるように保たれる。保護層６の膜厚は、電子ビームの強度、成膜室の圧力、前面基板１の移動速度などによって、所定の範囲に収まるように調整される。
【００２５】
２−２．背面板６０
２−２−１．データ電極８
フォトリソグラフィ法によって、背面基板２上に、データ電極８が形成される。データ電極８の材料には、導電体としての銀（Ａｇ）粒子と銀粒子同士を結着させるガラスフリットと感光性樹脂と溶剤などを含むデータ電極ペーストが用いられる。
【００２６】
まず、スクリーン印刷法などによって、データ電極ペーストが所定の厚みで背面基板２上に塗布される。次に、乾燥炉によって、例えば１００℃から２５０℃の温度範囲でデータ電極ペーストが乾燥される。乾燥によって、データ電極ペースト中の溶剤が除去される。例えば、複数の矩形パターンが形成されたフォトマスクを介して、データ電極ペーストが露光される。次に、データ電極ペーストが現像される。ポジ型の感光性樹脂が用いられた場合は、露光された部分が除去される。残存したデータ電極ペーストがデータ電極パターンである。最後に、焼成炉によって、例えば４００℃から５５０℃の温度範囲で、データ電極パターンが焼成される。焼成によって、データ電極パターン中の感光性樹脂が除去される。焼成によって、データ電極パターン中のガラスフリットが溶ける。溶けたガラスフリットは、焼成後に再びガラス化する。以上の工程によって、データ電極８が形成される。
【００２７】
上述の方法の他、スパッタ法、蒸着法などにより、金属膜を形成し、その後パターニングする方法なども用いることができる。
【００２８】
２−２−２．絶縁体層７
絶縁体層７の材料には、ガラスフリット、フィラー、樹脂および溶剤などを含む絶縁体ペーストが用いられる。ガラスフリットとフィラーとの和に対するガラスフリットの比率は、１５重量％以上４５重量％以下である。
【００２９】
まず、スクリーン印刷法などによって、絶縁体ペーストが所定の厚みで背面基板２上に塗布される。塗布された絶縁体ペーストは、データ電極８を被覆する。次に、乾燥炉によって、例えば１００℃から２５０℃の温度範囲で絶縁体ペーストが乾燥される。乾燥によって、絶縁体ペースト中の溶剤が除去される。最後に、焼成炉によって、例えば４００℃から５５０℃の温度範囲で、絶縁体ペーストが焼成される。焼成によって、絶縁体ペースト中の樹脂が除去される。また、焼成によって、ガラスフリットが溶ける。一方、焼成によっても、フィラーは溶けない。溶けたガラスフリットは、焼成後に再びガラス成分となる。つまり、絶縁体層７は、フィラーがガラス成分中に分散した構成である。以上の工程によって、絶縁体層７が形成される。スクリーン印刷法の他にも、スピンコート法、ダイコート法などを用いることができる。
【００３０】
２−２−３．隔壁９
フォトリソグラフィ法によって、隔壁９が形成される。隔壁９の材料には、フィラーと、フィラーを結着させるためのガラスフリットと、感光性樹脂と、溶剤などを含む隔壁ペーストが用いられる。ガラスフリットとフィラーとの和に対するガラスフリットの比率は、６０重量％以上９０重量％以下である。
【００３１】
まず、ダイコート法などによって、隔壁ペーストが所定の厚みで絶縁体層７上に塗布される。次に、乾燥炉によって、例えば１００℃から２５０℃の温度範囲で隔壁ペーストが乾燥される。乾燥によって、隔壁ペースト中の溶剤が除去される。次に、例えば井桁パターンのフォトマスクを介して、隔壁ペーストが露光される。次に、隔壁ペーストが現像される。ポジ型の感光性樹脂が用いられた場合は、露光された部分が除去される。残存した隔壁ペーストが隔壁パターンである。最後に、焼成炉によって、例えば５００℃から６００℃の温度範囲で隔壁パターンが焼成される。焼成によって、隔壁パターン中の感光性樹脂が除去される。焼成によって、隔壁パターン中のガラスフリットが溶ける。一方、焼成によっても、フィラーは溶けない。溶けたガラスフリットは、焼成後に再びガラス成分となる。つまり、隔壁９は、フィラーがガラス成分中に分散した構成である。以上の工程によって、隔壁９が形成される。
【００３２】
２−２−４．蛍光体層
蛍光体層の材料には、蛍光体粒子とバインダと溶剤などとを含む蛍光体ペーストが用いられる。
【００３３】
まず、ディスペンス法などによって、蛍光体ペーストが所定の厚みで隣接する隔壁９間の絶縁体層７上および隔壁９の側面に塗布される。次に、乾燥炉によって、蛍光体ペースト中の溶剤が除去される。最後に、焼成炉によって、蛍光体ペーストが所定の温度で焼成される。つまり、蛍光体ペースト中の樹脂が除去される。以上の工程によって、赤色に発光する赤色蛍光体層１０Ｒ、緑色に発光する緑色蛍光体層１０Ｇ、青色に発光する青色蛍光体層１０Ｂが設けられる。ディスペンス法の他にも、スクリーン印刷法などを用いることができる。
【００３４】
以上の工程により、背面基板２上に所定の構成部材を有する背面板６０が完成する。
【００３５】
２−３．前面板５０と背面板６０の組立
まず、ディスペンス法によって、背面板６０の周囲に封着材（図示せず）が形成される。封着材（図示せず）の材料には、ガラスフリットとバインダと溶剤などを含む封着ペーストが用いられる。次に乾燥炉によって、封着ペースト中の溶剤が除去される。次に、走査電極３および維持電極４とデータ電極８とが直交するように、前面板５０と背面板６０とが対向配置される。次に、前面板５０と背面板６０の周囲がガラスフリットで封着される。最後に、放電空間にＮｅ、Ｘｅなどを含む放電ガスが封入される。以上のように、前面板５０と背面板６０とが組立てられ、ＰＤＰ１１が完成する。
【００３６】
３．プラズマディスプレイ装置１００の回路ブロック
図３に示すように、プラズマディスプレイ装置１００は、ＰＤＰ１１、画像信号処理回路１２、データ電極駆動回路１３、走査電極駆動回路１４、維持電極駆動回路１５、タイミング発生回路１６および電源回路（図示せず）を備えている。
【００３７】
また、図２に示すように、データ電極駆動回路１３は、データ電極８の一端に接続されている。さらに、データ電極駆動回路１３は、データ電極８に電圧を供給するための半導体素子からなる複数のデータドライバ１３ａを有している。複数のデータ電極８が一つのデータ電極ブロックを構成する。ＰＤＰ１１は、複数のデータ電極ブロックを有する。一例として、一つのデータドライバ１３ａが、一つのデータ電極ブロックに電圧を供給する。
【００３８】
図３において、画像信号処理回路１２は、画像信号ｓｉｇをサブフィールド毎の画像データに変換する。データ電極駆動回路１３はサブフィールド毎の画像データを各データ電極Ｄ１〜Ｄｍに対応する信号に変換し、各データ電極Ｄ１〜Ｄｍを駆動する。タイミング発生回路１６は水平同期信号Ｈおよび垂直同期信号Ｖをもとにして各種のタイミング信号を発生し、各駆動回路ブロックに供給している。走査電極駆動回路１４はタイミング信号にもとづいて走査電極ＳＣ１〜ＳＣｎに駆動電圧波形を供給し、維持電極駆動回路１５はタイミング信号にもとづいて維持電極ＳＵ１〜ＳＵｎに駆動電圧波形を供給する。走査電極駆動回路１４および維持電極駆動回路１５は、維持パルス発生部１７を備えている。
【００３９】
３−１．駆動電圧波形と駆動の動作
本実施の形態によるＰＤＰ１１においては、１フィールドを複数のサブフィールドに分割し、それぞれのサブフィールドは初期化期間、書込み期間、維持期間を有している。
【００４０】
３−１−１．初期化期間
第１サブフィールドの初期化期間では、データ電極Ｄ１〜Ｄｍおよび維持電極ＳＵ１〜ＳＵｎを０（Ｖ）に保持し、走査電極ＳＣ１〜ＳＣｎに対して放電開始電圧以下となる電圧Ｖｉ１（Ｖ）から放電開始電圧を超える電圧Ｖｉ２（Ｖ）に向かって緩やかに上昇するランプ電圧を印加する。すると、すべての放電セルにおいて１回目の微弱な初期化放電を起こし、走査電極ＳＣ１〜ＳＣｎ上に負の壁電圧が蓄えられるとともに維持電極ＳＵ１〜ＳＵｎ上およびデータ電極Ｄ１〜Ｄｍ上に正の壁電圧が蓄えられる。ここで、電極上の壁電圧とは電極を覆う誘電体層５や蛍光体層上等に蓄積した壁電荷により生じる電圧を指す。その後、維持電極ＳＵ１〜ＳＵｎを正の電圧Ｖｈ（Ｖ）に保ち、走査電極ＳＣ１〜ＳＣｎに電圧Ｖｉ３（Ｖ）から電圧Ｖｉ４（Ｖ）に向かって緩やかに下降するランプ電圧を印加する。すると、すべての放電セルにおいて２回目の微弱な初期化放電を起こし、走査電極ＳＣ１〜ＳＣｎ上と維持電極ＳＵ１〜ＳＵｎ上との間の壁電圧が弱められ、データ電極Ｄ１〜Ｄｍ上の壁電圧も書込み動作に適した値に調整される。
【００４１】
３−１−２．書込み期間
続く書込み期間では、走査電極ＳＣ１〜ＳＣｎを一旦Ｖｒ（Ｖ）に保持する。次に、１行目の走査電極ＳＣ１に負の走査パルス電圧Ｖａ（Ｖ）を印加するとともに、データ電極Ｄ１〜Ｄｍのうち１行目に表示すべき放電セルのデータ電極Ｄｋ（ｋ＝１〜ｍ）に正の書込みパルス電圧Ｖｄ（Ｖ）を印加する。このときデータ電極Ｄｋと走査電極ＳＣ１との交差部の電圧は、外部印加電圧（Ｖｄ−Ｖａ）（Ｖ）にデータ電極Ｄｋ上の壁電圧と走査電極ＳＣ１上の壁電圧とが加算されたものとなり、放電開始電圧を超える。そして、データ電極Ｄｋと走査電極ＳＣ１との間および維持電極ＳＵ１と走査電極ＳＣ１との間に書込み放電が起こり、この放電セルの走査電極ＳＣ１上に正の壁電圧が蓄積され、維持電極ＳＵ１上に負の壁電圧が蓄積され、データ電極Ｄｋ上にも負の壁電圧が蓄積される。
【００４２】
このようにして、１行目に表示すべき放電セルで書込み放電を起こして各電極上に壁電圧を蓄積する書込み動作が行われる。一方、書込みパルス電圧Ｖｄ（Ｖ）を印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００４３】
３−１−３．維持期間
続く維持期間では、走査電極ＳＣ１〜ＳＣｎには第１の電圧として正の維持パルス電圧Ｖｓ（Ｖ）を、維持電極ＳＵ１〜ＳＵｎには第２の電圧として接地電位、すなわち０（Ｖ）をそれぞれ印加する。このとき書込み放電を起こした放電セルにおいては、走査電極ＳＣｉ（ｉ＝１〜ｎ）上と維持電極ＳＵｉ上との間の電圧は維持パルス電圧Ｖｓ（Ｖ）に走査電極ＳＣｉ上の壁電圧と維持電極ＳＵｉ上の壁電圧とが加算されたものとなり、放電開始電圧を超える。そして、走査電極ＳＣｉと維持電極ＳＵｉとの間に維持放電が起こり、このとき発生した紫外線により蛍光体層１０が発光する。そして走査電極ＳＣｉ上に負の壁電圧が蓄積され、維持電極ＳＵｉ上に正の壁電圧が蓄積される。このときデータ電極Ｄｋ上にも正の壁電圧が蓄積される。書込み期間において書込み放電が起きなかった放電セルでは、維持放電は発生せず、初期化期間の終了時における壁電圧が保持される。続いて、走査電極ＳＣ１〜ＳＣｎには第２の電圧である０（Ｖ）を、維持電極ＳＵ１〜ＳＵｎには第１の電圧である維持パルス電圧Ｖｓ（Ｖ）をそれぞれ印加する。すると、維持放電を起こした放電セルでは、維持電極ＳＵｉ上と走査電極ＳＣｉ上との間の電圧が放電開始電圧を超えるので、再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００４４】
３−１−４．第２サブフィールド以降
以降同様に、走査電極ＳＣ１〜ＳＣｎと維持電極ＳＵ１〜ＳＵｎとに交互に輝度重みに応じた数の維持パルスを印加することにより、書込み期間において書込み放電を起こした放電セルで維持放電が継続して行われる。こうして維持期間における維持動作が終了する。続くサブフィールドにおける初期化期間、書込み期間、維持期間の動作も第１サブフィールドにおける動作とほぼ同様のため、説明を省略する。
【００４５】
４．背面板６０の詳細
図６に示すように、背面板６０は、表示領域７０と表示領域７０の周囲に設けられた非表示領域８０を有する。隔壁形成領域は、表示領域７０より広い。背面基板２の長辺端部には、データ電極８をデータ電極駆動回路１３に接続するための複数の接続端子２１が設けられている。複数の接続端子２１は、列方向に所定のピッチで配置されている。複数の接続端子２１が、一つの接続端子部２６を構成する。背面基板２には、複数の接続端子部２６が設けられている。一つの接続端子部２６に含まれる接続端子２１の数は、データ電極駆動回路１３との接続に用いられるフレキシブルプリント基板などの配線の数に合わせて設計される。
【００４６】
接続端子２１とデータ電極８は中間接続配線２２を介して接続されている。つまり、複数の中間接続配線２２の一方は、複数の接続端子２１に接続されている。複数の中間接続配線２２の他方は、複数のデータ電極８に接続されている。複数の中間接続配線２２が、一つの中間接続配線群２５を構成する。複数の中間接続配線群２５および複数の接続端子部２６は、非表示領域８０に設けられている。
【００４７】
図６、図７に示すように、中間接続配線２２は、データ電極８から接続端子２１に向けてピッチが狭まるよう寄せ集められている。これは、回路基板のレイアウト等の理由に基づいている。中間接続配線群２５と中間接続配線群２５の間は、中間接続配線２２およびデータ電極８が形成されない電極非形成部である。
【００４８】
本実施の形態においては、電極非形成部の隔壁形成領域において、ダミー電極２４が設けられている。ダミー電極２４には駆動電圧が印加されない。ダミー電極２４には、様々な形状が適用され得る。また、ダミー電極２４は、プロセスマージンの確認などに用いられてもよい。
【００４９】
ところで、隔壁９をフォトリソグラフィ法で形成する際、露光用ランプから発生した光は絶縁体層７、データ電極８、背面基板２の表面などにより反射する。反射した光は、隔壁９の形状に影響をおよぼす。つまり、隔壁形成領域が、データ電極８の中間接続配線２２が設けられている領域にまで及ぶ場合、中間接続配線群２５と中間接続配線群２５の間の電極非形成部は、背面基板２上に絶縁体層７が設けられた領域である。したがって、隔壁９の形成時に用いられる露光用ランプから発生した光の反射率（以降、反射率と称する）は、電極非形成部と中間接続配線群２５が形成されている領域とで異なる。また、反射率が異なると、隔壁９の端部で隔壁９の高さが一部高くなる場合がある。つまり、隔壁９の高さが不均一になる。その結果、クロストークなどの表示品質を損ねる課題が発生する。
【００５０】
しかし、本実施の形態では、ダミー電極２４が形成されている領域の反射率と、中間接続配線群２５が形成されている領域における反射率の差が、ダミー電極２４が形成されていない電極非形成領域と中間接続配線群２５が形成されている領域における反射率の差より小さい。よって、隔壁９の端部で隔壁９の高さが一部高くなるなどの不具合が生じることを低減できる。その結果、クロストークなどの発生が抑制される。つまり、表示品質の悪化を改善することができる。
【００５１】
なお、ダミー電極２４の少なくとも一部が隔壁形成領域と重なっていればよい。また、ダミー電極２４は、隔壁形成領域から接続端子２１に向かってはみ出していてもよい。また、ダミー電極２４は、表示領域にむかって隔壁形成領域からはみ出していてもよい。さらに、ダミー電極２４は、中間接続配線２２と同じ材料であることが好ましい。反射率が同等になるからである。
【００５２】
本実施の形態において、データ電極８、中間接続配線２２およびダミー電極２４は、一例として、同じ材料で形成された。発明者らが、反射率を測定したところ、ダミー電極２４が形成されていない領域は、ダミー電極２４が形成されている領域と比較して、反射率が１０％高かった。中間接続配線群２５が形成されていない領域は、中間接続配線群２５が形成されている領域と比較して、反射率が１０％高かった。つまり、中間接続配線群２５が設けられた領域の反射率と、ダミー電極２４が設けられた領域の反射率の差は、中間接続配線群２５が設けられた領域の反射率と、ダミー電極２４が設けられていない領域の反射率の差より小さかった。なお、反射率の測定には、コニカミノルタ製分光測色計（型番：ＣＭ−２６００）が用いられた。測定に用いられた波長は３６０ｎｍである。
【００５３】
さらに、本実施の形態において、隔壁ペーストの露光には紫外線ランプが用いられた。紫外線ランプには、特に限定はない。つまり、紫外線領域の波長を発するものであれば使用できる。例えば、低圧水銀灯、高圧水銀灯、超高圧水銀灯、ハロゲンランプ、殺菌灯などがある。これらのなかでも超高圧水銀灯が好ましい。本実施の形態においては、ｉ線（３６５ｎｍの波長の光）が用いられた。
【００５４】
なお、本実施の形態において、露光の際の隔壁ペーストの膜厚は１８０〜１９０μｍであった。さらに、露光の際の絶縁体層７の膜厚は、２０μｍであった。
【００５５】
５．まとめ
本実施の形態に開示されたＰＤＰ１１は、前面板５０と、前面板５０と対向して設けられる背面板６０とを備える。背面板６０は、前面板５０との間で放電を発生させる表示領域７０と、表示領域７０の周囲に設けられた非表示領域８０とを有する。さらに、背面板６０は、複数の接続端子部２６と、複数の中間接続配線群２５と、複数のデータ電極８と、中間接続配線群２５およびデータ電極８を被覆する絶縁体層７と、絶縁体層７上に設けられた隔壁９と、を有する。複数のデータ電極８は、表示領域７０に設けられる。複数の接続端子部２６は、それぞれが間隔をあけて非表示領域８０に設けられる。接続端子部２６は、複数の接続端子２１を含む。複数の中間接続配線群２５は、それぞれが間隔をあけて非表示領域８０に設けられる。中間接続配線群２５は、複数の中間接続配線２２を含む。複数の中間接続配線２２の一方は、複数の接続端子２１に接続される。複数の中間接続配線２２の他方は、複数のデータ電極８に接続される。複数の中間接続配線群２５の間には、ダミー部であるダミー電極２４が設けられる。隔壁９の下層には、データ電極８、中間接続配線群２５の少なくとも一部およびダミー電極２４の少なくとも一部がある。
【００５６】
以上の構成によって、隔壁９の端部で隔壁９の高さが一部高くなるなどの不具合が生じることを低減できる。その結果、クロストークなどの発生が抑制される。つまり、表示品質の悪化を改善することができる。
【００５７】
本実施の形態に開示された背面板６０は、前面板５０との間で放電を発生させる表示領域７０と、表示領域７０の周囲に設けられた非表示領域８０と、複数の接続端子部２６と、複数の中間接続配線群２５と、複数のデータ電極８と、中間接続配線群２５およびデータ電極８を被覆する絶縁体層７と、を備える。複数のデータ電極８は、表示領域７０に設けられる。複数の接続端子部２６は、それぞれが間隔をあけて非表示領域８０に設けられる。接続端子部２６は、複数の接続端子２１を含む。複数の中間接続配線群２５は、それぞれが間隔をあけて非表示領域８０に設けられる。中間接続配線群２５は、複数の中間接続配線２２を含む。複数の中間接続配線２２の一方は、複数の接続端子２１に接続される。複数の中間接続配線２２の他方は、複数のデータ電極８に接続される。複数の中間接続配線群２５の間には、ダミー部であるダミー電極２４が設けられる。中間接続配線群２５が設けられた領域の反射率と、ダミー電極２４が設けられた領域の反射率の差は、中間接続配線群２５が設けられた領域の反射率と、ダミー電極２４が設けられていない領域の反射率の差、より小さい。
【００５８】
以上の構成によって、隔壁ペーストを露光する際に、隔壁ペーストの下層からの反射率のばらつきが低減できる。よって、隔壁９の端部で隔壁９の高さが一部高くなるなどの不具合が生じることを低減できる。その結果、クロストークなどの発生が抑制される。つまり、表示品質の悪化を改善することができる。
【００５９】
（他の実施の形態）
なお、本発明は、実施の形態１に限られない。例えば、ダミー電極２４の密度と中間接続配線２２の密度とが同等であれば、実施の形態１と同等の効果を得られる。例えば、図８に示すように、ダミー電極２４の電極間ピッチを狭め、ダミー電極２４を塗りつぶしパターンとしてもよい。
【００６０】
さらに、図９に示すように、ダミー電極２４は、三角形が多重に設けられたパターンでもよい。さらに、図１０に示すように、ダミー電極２４は、一つの頂点で途切れた三角形が多重に設けられたパターンでもよい。また、ダミー電極２４の先端部は丸みを帯びた形状であってもよい。
【００６１】
また、ダミー電極２４の代わりに、絶縁体層７の材料を適宜変更して、反射率の差が小さくなるようにしてもよい。
【産業上の利用可能性】
【００６２】
ここに開示された技術は、プラズマディスプレイパネルの品質向上を実現できるので、大画面の表示デバイスなどに有用である。
【符号の説明】
【００６３】
１    前面基板
２    背面基板
３    走査電極
４    維持電極
３ａ，４ａ    透明電極
３ｂ，４ｂ    バス電極
５    誘電体層
６    保護層
７    絶縁体層
８    データ電極
９    隔壁
９ａ    縦隔壁
９ｂ    横隔壁
１０Ｒ    赤色蛍光体層
１０Ｇ    緑色蛍光体層
１０Ｂ    青色蛍光体層
１１    ＰＤＰ
１２    画像信号処理回路
１３    データ電極駆動回路
１３ａ    データドライバ
１４    走査電極駆動回路
１５    維持電極駆動回路
１６    タイミング発生回路
１７    維持パルス発生部
２１    接続端子
２２    中間接続配線
２４    ダミー電極
２５    中間接続配線群
２６    接続端子部
５０    前面板
６０    背面板
７０    表示領域
８０    非表示領域
１００    プラズマディスプレイ装置
【図１】
2012102014.tif 000003
【図２】
2012102014.tif 000004
【図３】
2012102014.tif 000005
【図４】
2012102014.tif 000006
【図５】
2012102014.tif 000007
【図６】
2012102014.tif 000008
【図７】
2012102014.tif 000009
【図８】
2012102014.tif 000010
【図９】
2012102014.tif 000011
【図１０】
2012102014.tif 000012
【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
前面板との間で放電を発生させる表示領域と、前記表示領域の周囲に設けられた非表示領域とを有するプラズマディスプレイパネル用背面板であって、
前記背面板は、複数の接続端子部と、複数の中間接続配線群と、複数の電極と、ダミー部と、隔壁とを備え、
前記表示領域は、前記複数の電極を有し、
前記非表示領域は、前記複数の接続端子部と、前記複数の中間接続配線群と、前記複数のダミー部を有し、
前記複数の中間接続配線群の一方は、前記複数の接続端子部に接続され、
前記複数の中間接続配線群の他方は、前記複数の電極に接続され、
前記複数の中間接続配線群の間には、前記ダミー部を有する領域と、前記ダミー部を有しない領域と、が設けられ、
前記隔壁は、前記表示領域と前記非表示領域に亘って設けられ、
前記隔壁の下層には、前記複数の電極、前記複数の中間接続配線群の少なくとも一部および前記ダミー部があり、
前記非表示領域における、前記中間接続配線群を有する領域の反射率と前記ダミー部を有する領域の反射率の差は、前記中間接続配線群を有する領域の反射率と、前記ダミー部を有しない領域の反射率の差、より小さい、
プラズマディスプレイパネル用背面板。
【請求項２】
前記ダミー部と、前記中間配線群は、実質的に同じ材料で構成されている、
請求項１に記載のプラズマディスプレイパネル用背面板。
【請求項３】
前記中間接続配線群が設けられた領域の反射率と、前記ダミー部が設けられた領域の反射率は、波長３６０ｎｍの光についての反射率である、
請求項１に記載のプラズマディスプレイパネル用背面板。
【請求項４】
前記ダミー部の配線密度と、前記中間配線群の配線密度は、実質的に同等である、
請求項２に記載のプラズマディスプレイパネル用背面板。
【請求項５】
請求項１から４のいずれか一項に記載のプラズマディスプレイパネル用背面板を備えた、プラズマディスプレイパネル。
【国際調査報告】
2012102014.tif 000013
2012102014.tif 000014
2012102014.tif 000015
2012102014.tif 000016
2012102014.tif 000017
2012102014.tif 000018
2012102014.tif 000019
2012102014.tif 000020